(57)【要約】【課題】浴室音響システムを施工する際の施工性と共にオーディオ装置に対する操作性を改善する。【解決手段】空調装置本体１４を制御する操作パネル３０Ａ側にオーディオ制御用操作パネル３０Ｂを設け、操作パネル３０Ｂにオーディオ回路部を設ける。空調装置本体側にスピーカ装置２６を設ける。操作パネル３０Ｂ側にオーディオ回路部が集約されているので、オーディオ回路部の修理点検作業や追加作業が簡単になる。スピーカ装置は空調装置本体に取り付けられるので、その保守点検作業およびスピーカ装置の追加作業などが簡単になる。全体として施工性が改善される。スピーカ装置はリモコン受光部を備えるので、浴室内からでもオーディオ装置を制御することができ、その操作性および利便性が改善される。【選択図】        図１
2008182603.tif 000002
【特許請求の範囲】
【請求項１】
浴室に設置された空調装置本体と、
上記空調装置本体を制御する本体制御用操作パネルと、
オーディオ制御用操作パネルと、
オーディオ回路部と、
上記オーディオ回路部からのオーディオ出力が供給される、上記空調装置本体側に設けられたスピーカ装置とからなり、
上記スピーカ装置は、１個以上のスピーカと、このスピーカを内蔵したスピーカボックスと、このスピーカボックス内に設けられた上記オーディオ回路部を遠隔制御するためのリモコン受光部とで構成された
ことを特徴とする浴室音響システム。
【請求項２】
上記スピーカボックスは、防水型のスピーカボックスである
ことを特徴とする請求項１記載の浴室音響システム。
【請求項３】
上記スピーカボックスは、上記空調装置本体のフランジ部か、上記空調装置本体の前面を覆うフロントパネルに取り付けられた
ことを特徴とする請求項１記載の浴室音響システム。
【請求項４】
上記オーディオ回路部は、少なくともオーディオチューナ部、オーディオアンプ部およびオーディオ電源部を含む
ことを特徴とする請求項１記載の浴室音響システム。
【請求項５】
リモコン信号を上記リモコン受光部に送信するリモコン送信部には、
少なくとも上記オーディオ回路部を駆動するオーディオ電源部に対する電源のオンオフ用のボタンと、選局ボタンと音量調整ボタンとが設けられている
ことを特徴とする請求項１記載の浴室音響システム。
【請求項６】
上記リモコン送信部は、防水型のリモコン送信部である
ことを特徴とする請求項５記載の浴室音響システム。
【請求項７】
上記スピーカ装置が一対上記空調装置本体に設けられているときは、
上記一対のスピーカ装置の何れかに上記リモコン受光部が設けられる
ことを特徴とする請求項１記載の浴室音響システム。
【発明の詳細な説明】
【技術分野】
【０００１】
この発明は浴室音響システムに関する。詳しくは、浴室の天井に設置された空調装置本体側にスピーカ装置を配し、そのスピーカ装置内にリモコン受光部を設けることで、浴室音響システムを敷設する際の施工性と、オーディオ装置に対する操作性を改善したものである。
【背景技術】
【０００２】
冬場には暖気を出して快適な環境で入浴を楽しめるように、最近の浴室には空調装置（浴室暖房換気乾燥機など）が設置される場合が多い。
【０００３】
また、最近ではこのような空調装置に加えて、音楽などを聴きながら、よりリラックスした状態で入浴を楽しめるように音響環境を整えた浴室音響化が行われる場合がある。このように空調装置や音響系を備えた浴室音響システムは既に知られている（例えば、特許文献１、２）。
【０００４】
特許文献１には、浴室の壁にオーディオアンプを設置し、さらに防水スピーカを浴室内に設置し、浴室内に設置されたアクチュエータを用いてオーディオアンプを制御することで、音声出力のオンオフやオーディオ音量等を調整する技術が開示されている。
【０００５】
また、特許文献２には、空調装置の本体ボックス内にスピーカを配したスピーカシステムが開示されている。
【０００６】
【特許文献１】特開２００１−１５７６４２号公報
【特許文献２】特開２００５−１２７６８８号公報
【発明の開示】
【発明が解決しようとする課題】
【０００７】
ところで、特許文献１に開示された浴室の音響再生装置は、浴室の天井にスピーカを取り付けるため、専用の取り付け孔を穿設しなければならず、空調装置やオーディオ装置などを敷設する際の施工が面倒である。加えて、アクチュエータが浴室内にあるため、浴室内から浴室の外側の壁に向かう配線も必要になり、音響再生装置を後付けで追加することは殆ど不可能である。可能であったとしても工事費が相当嵩んでしまう。もちろん、空調装置を浴室に設置する場合には、この空調装置とのバランスも考慮しなければならず、既設スピーカの場合にはその整合性に苦慮するものと考えられる。
【０００８】
特許文献２に開示されたスピーカシステムは、浴室内にリモコンが設置されていないために、浴室からオーディオ装置を操作することができないから、非常に不便である。
【０００９】
オーディオ装置に対する利便性を改善するために浴室の内からでも外からでも操作できるようにすればよいが、そうすると浴室外の他に浴室内にもオーディオ装置を制御するための制御手段（操作部と、その操作信号を受ける受信部など）を設けなければならず、受信部を浴室の天井に設ける場合にあっては、敷設用の開口部を設けたりしなければならず、追加工事が必要な上、施工性も悪くなる。
【００１０】
そこで、この発明はこのような従来の課題を解決したものであって、特に施工性が優れ、しかもオーディオ装置に対する操作性や利便性を改善した浴室音響システムを提案するものである。
【課題を解決するための手段】
【００１１】
上述の課題を解決するため、請求項１に記載したこの発明に係る浴室音響システムは、浴室に設置された空調装置本体と、
上記空調装置本体を制御する本体制御用操作パネルと、
オーディオ制御用操作パネルと、
オーディオ回路部と、
上記オーディオ回路部からのオーディオ出力が供給される、上記空調装置本体側に設けられたスピーカ装置とからなり、
上記スピーカ装置は、１個以上のスピーカと、このスピーカを内蔵する防水型のスピーカボックスと、このスピーカボックス内に設けられた上記オーディオ回路部を遠隔制御するためのリモコン受光部とで構成されたことを特徴とする。
【００１２】
この発明では、音声出力が供給されるスピーカ装置は空調装置本体側に取り付ける。具体的には、乾燥機本体のフランジ部か、乾燥機本体の前面をカバーするフロントパネルの内側にスピーカ装置が取り付け固定される。
【００１３】
スピーカ装置は、１個以上のスピーカと、このスピーカを内蔵する防水型のスピーカボックスと、このスピーカボックス内に設けられたオーディオ回路部を遠隔制御するためのリモコン受光部とで構成される。リモコン送信部は使い勝手を考慮して非固定タイプとして構成され、通常は浴室内の装着部か、窓枠などに置かれる。リモコン送信部は、防水型となっている。
【００１４】
オーディオ装置自体を、浴室と浴室以外の他室の双方で制御できる構成とすることで、オーディオ装置に対する操作性や利便性が改善される。例えば、入浴してから音楽等を聞きたいと思ったときや、視聴する番組や音量などを変更したいようなときにも入浴しながら対応できる。
【００１５】
スピーカ装置内にリモコン受光部が収納されているので、オーディオ系の追加や、保守・点検などは何れもボックス化されたスピーカ装置を単位として施工できる実益がある。
【発明の効果】
【００１６】
この発明では、空調装置本体側にスピーカ装置を取り付け、スピーカ装置内にリモコン受光部を設けるようにしたものである。
【００１７】
これによれば、リモコン受光部が浴室空調装置に取り付けられているので、リモコン受光部を浴室内の壁などに設置しなくても済むため、音響システムの施工性が改善されると共に、美感を損ねることもない。
【発明を実施するための最良の形態】
【００１８】
続いて、この発明に係る浴室音響システムの好ましい実施例を図面を参照して詳細に説明する。
【実施例１】
【００１９】
図１は、本発明を適用した浴室音響システムの一例を示す構成図である。この浴室音響システム１０は、浴室１２などの天井１３に取り付けられる空調装置本体１４とオーディオ装置（後述する）から構成される。空調装置本体１４は遠隔制御によりその運転モードが制御される。この例では本体制御用操作パネル３０Ａが浴室１２に隣接する洗面脱衣所１６の壁１６ａに取り付けられている。
【００２０】
空調装置本体１４内には運転モードを制御するための制御ユニット２０を始めとしてそれぞれの運転モードを実現するためのファンやその駆動モータなどが設けられている。換気はフード２２を介して行われる。空調装置本体１４の開口部側はフロントパネル２４によって覆われているが、この開口部を塞がないように、浴室１２に面した空調装置本体１４のフランジ部（図示はしない）か、フロントパネル２４にオーディオ装置が設けられる。オーディオ装置は、後述するようにスピーカボックスを備え、その内部にスピーカを備えた一対のスピーカ装置２６Ｒ，２６Ｌが浴室１２側を向くように取り付け固定される。
【００２１】
浴室１２には浴室タブ２７が設置されると共に、浴室１２と洗面脱衣所１６とは扉２８によって仕切られている。
【００２２】
このように空調装置本体１４の両側に一対のスピーカ装置２６Ｒ，２６Ｌを取り付ける場合、図１にも示すように空調装置本体１４の長手方向に対して左右の向きになるような位置に一対のスピーカ装置２６Ｒ，２６Ｌが取り付け固定される。この場合スピーカ装置２６Ｒ，２６Ｌが離れているため、広がりのあるステレオ音場とすることができる。
【００２３】
オーディオ装置は、浴室内からも、浴室外からも操作できるように構成される。浴室内からは遠隔制御となり、浴室外からは操作パネルを利用して操作する。遠隔制御は赤外線などを利用して行う。そのため、浴室１２内には移動可能なリモコン送信部２００が置かれている。リモコン送信部２００は浴室１２の壁面１２ａのポケット２０１に着脱自在に装着される。
【００２４】
一方、リモコン送信部２００からのリモコン信号を受けるリモコン受光部は、スピーカ装置２６Ｒ，２６Ｌ内に設けられるが、その構成などについては後述する。
【００２５】
洗面脱衣所１６に取り付けられる操作パネル３０は、上述した本体制御用操作パネル３０Ａと、この例ではオーディオ装置をコントロールするための操作パネル（オーディオ制御用操作パネル）３０Ｂとで構成される。本体制御用操作パネル３０Ａは空調装置本体１４の運転モードなどを制御するための操作パネルであり、オーディオ制御用操作パネル３０Ｂはオーディオ装置を制御（電源のオンオフ、選局、音量調整など）するための操作パネルである。
【００２６】
本体制御用操作パネル３０Ａとオーディオ制御用操作パネル３０Ｂとは別体構成であっても、一体構成であってもよい。別体構成であるときは、操作性を考慮してこれら操作パネル３０Ａ，３０Ｂは近接配置されることになる。
【００２７】
図２に別体構成の操作パネル例を示す。この操作パネル３０Ａには、制御対象を明確にするため操作パネル識別用の文字、図示の例では「空調」を印した表示部３２を有する。図２の例は、浴室暖房換気乾燥機能を備えた空調装置１４を使用した場合である。したがって運転モード切り換え用のボタンは少なくとも４個備える。
【００２８】
図２の場合には、浴室１２内に干した衣類の乾燥を行う乾燥運転モードを選択するための乾燥ボタン３４ａを始めとして、浴室１２への涼風（送風）の吹き出しを行う涼風運転モード選択ボタン３４ｂ、浴室１２の暖房を行う暖房運転モード選択ボタン３４ｃおよび浴室１２及び洗面脱衣所１６などの他室の換気を行う換気運転モード選択ボタン３４ｄがそれぞれ配置される。それぞれの運転モードが正しく選択されたときは対応する表示灯（ＬＥＤなど）３６ａ〜３６ｄが点灯する。
【００２９】
また、換気風量等の設定値の変更などを行うボタン３８や、設定値を決めるアップ・ダウンボタン４０を備える。設定値はデジタル表示部（ＬＣＤなど）４２によって表示される。さらには、２４時間換気運転モードを選択するボタン４４や運転モードを停止させるための停止ボタン４６などが設けられている。
【００３０】
これらの選択ボタンを操作すると、その制御信号（リモコン信号）が上述した制御ユニット２０に送られて、対応する運転モードが実行される。
【００３１】
本体制御用操作パネル３０Ａに隣接して、オーディオ制御用操作パネル３０Ｂが配置される。オーディオ制御用操作パネル３０Ｂは制御対象が少ないため、本体制御用操作パネル３０Ａのサイズよりも小さい。オーディオ制御用操作パネル３０Ｂにも制御対象を明確にするため操作パネル識別用の文字、図示の例では「オーディオ」を印した表示部５２を有する。
【００３２】
表示部５２の下側には、オーディオ電源部７８（図１１参照）を制御する電源スイッチ（オンオフスイッチ）５４、オーディオチャンネルを選局するための選局ボタン５６、音量を調整するための音量調整ボタン５８がそれぞれ設けられる。選局ボタン５６と音量調整ボタン５８はアップ・ダウンキーが使用される。
【００３３】
操作パネル３０Ｂにはさらに楽曲等を蓄積した蓄積媒体６６（図４参照）を装着するためのスロット（差し込み口）６０が設けられている。蓄積媒体６６としてはカード状の半導体メモリなどが用いられる。この例では、さらに外部入力端子６４が設けられる。この外部入力端子６４は、ＣＤプレーヤなどを音源としても利用できるようにするため、その外部入力（再生出力）を受け付けるための入力端子として機能する。
【００３４】
なお、浴室１２内には、その壁面１２ａに平面型のテレビ受像機などが設置されることも予想されるので（後述する）、その場合にはテレビ音声をステレオで楽しむことも考えられる。その場合には予めオーディオ装置を構成するオーディオ回路部（後述する）にテレビ音声出力を受けるテレビ音声入力端子８２（図４参照）を備えておくことも可能である。このテレビ音声入力端子８２にテレビ音声出力が供給されたときには、テレビ音声表示部（ＬＥＤなど）６２によってその表示が行われる。このテレビ音声表示部６２は、テレビ音声の事後確認などのとき有効であるが、表示部６２を省略することもできる。
【００３５】
操作パネルと浴室内のテレビ受像機本体との配線を考慮してテレビ音声入力端子８２は、後述するようにオーディオ回路部７２側つまりパネル背面側に備えられている。
【００３６】
図１において、音声出力用の信号線は、洗面脱衣所１６の天井裏に設置した配線接続切り替え部（配線接続切り替え具）１４６を介して行われる。配線接続切り替え部１４６は、元の信号線を複数の信号線に分岐できるように構成されると共に、切り替え制御信号Ｓｓによって音声出力の出力経路を選択できるようにしたものである。図１の場合には浴室１２のみスピーカ装置２６が設置されているので、この場合には特に音声出力の出力経路を選択する必要はない。
【００３７】
配線接続切り替え部１４６を置くことで、天井裏でも複数の信号線に簡単に分岐させることができるし、音声出力経路の電気的な切り替えも簡単に行える。したがって、スピーカを他室に増設する場合でもその分岐作業を簡単に行えるので、配線作業の施工性が落ちることはない。
【００３８】
図１の例では、配線接続切り替え部１４６を基点として、オーディオ制御用操作パネル３０Ｂから配線接続切り替え部１４６までを信号線９６Ｒｏ，９６Ｌｏとし、配線接続切り替え部１４６からスピーカ装置２６までを信号線９６Ｒ1，９６Ｌ1として示す。
【００３９】
図２は、本体制御用操作パネル３０Ａとオーディオ制御用操作パネル３０Ｂとを近接配置した例であるが、図３のようにこれらの操作パネル３０Ａと３０Ｂとを一体化して１つの操作パネル３０として構成することもできる。１つの操作パネル３０として構成した場合は、その取り付け、取り外しが簡単になり、施工性が向上する。
【００４０】
操作パネル３０Ａ、３０Ｂを別体に構成した場合でも、一体構成した場合でも、図４に示すようにオーディオ制御用操作パネル３０Ｂの裏面側にはオーディオ回路部７２を配置することができる。
【００４１】
オーディオ回路部７２は、スピーカと共にオーディオ装置７０の主要部を成すものであり、少なくともオーディオチューナ部、オーディオアンプ部およびオーディオ電源部を含む概念である。
【００４２】
オーディオ回路部７２の取り付け例を図１および図４に示す。図１のように洗面脱衣所１６の壁面１６ａのうち操作し易い個所に操作パネル３０Ａ，３０Ｂが取り付け固定される。そしてこの例ではオーディオ制御用操作パネル３０Ｂの裏面側にオーディオ回路部７２が集約されている。
【００４３】
そのため図４に示すように、壁面１６ａの開口部に取り付け固定された操作パネル本体５１の裏面側にプリント基板７１が固定され、このプリント基板７１にオーディオチューナ部７４，オーディオアンプ部７６およびオーディオ電源部７８がそれぞれ載置固定される。オーディオ電源部７８は上述した電源スイッチ５４によってそのオンオフが制御される。
【００４４】
さらに操作パネル本体５１の下部には外部入力端子６４の他に、蓄積媒体（半導体メモリ）６６に対するスロット６０が装備されると共に、蓄積媒体６６の読み取り部８０がプリント基板７１の一部に設けられている。この読み取り部８０はスロット６０に蓄積媒体６６が装着されると、この蓄積媒体６６に対して読み取り処理が実行され、蓄積された情報（楽曲情報など）を自動的に読み取るように制御される。
【００４５】
また、この例ではプリント基板７１の一部であってオーディオアンプ部７６に近接した位置にテレビ音声に対する外部入力端子（コンセント）８２が取り付けられた場合を示す。外部入力端子８２に供給されたテレビ音声出力は、オーディオアンプ部７６で増幅されるように接続されている。
【００４６】
テレビ音声出力用の信号線はそのプラグを、壁面１６ａの内部を通して外部入力端子８２に差し込むだけで、オーディオ用のスピーカ装置２６をテレビ受像機用のスピーカとしても使用することができる。したがって、外部入力端子８２を設けておけば、後述するようにテレビ受像機を新設するときのテレビ音声出力配線および施工、あるいは既設のテレビ受像機からのテレビ音声出力に対する配線および施工が非常に簡単になる。
【００４７】
オーディオ装置を構成する他方の部材であるスピーカ装置２６は空調装置本体１４側に取り付け固定される。スピーカ装置２６はステレオ音場を実現するため一対使用されている。
【００４８】
図５および図６を参照して説明すると、まず図６のように天井１３に設置された空調装置本体１４内にはファン１７０やヒータ１７２などが取り付けられており、本体開口部１４ａを塞がないように、浴室１２側に面したフランジ部９０（９０ａ，９０ｂ）には、取り付け板９２Ｒ、９２Ｌを介して一対のスピーカ装置２６（２６Ｒ，２６Ｌ）が浴室タブ２７側を向くように取り付け固定される。
【００４９】
スピーカ装置２６の一例を図７に示す。図７は一方のスピーカ装置２６Ｌの要部断面図であって、比較的扁平な形状をなす直方体状のスピーカボックス１８０Ｌを有する。このスピーカボックス１８０Ｌは断面コ字状の箱体１８０ａと底板（平板）１８０ｂとを有し、両者は箱体内部が防水および防湿されるように密封された状態で、ビスなどを用いて固定される。
【００５０】
箱体１８０ａのほぼ中心部は開口部１８４となされ、この開口部１８４を塞ぐように小型のスピーカこの例ではコーン型のスピーカＳＰｌが設けられる。スピーカＳＰｌのコーン部は防水・防湿処理されたものが使用される。このスピーカＳＰｌのコーン部を固定する矩形状の枠体１８５を露出させた状態で、スピーカＳＰｌが箱体１８０ａに取り付け固定される。枠体１８５は密封材（封止材）１８６を介して取り付け固定される。開口部１８４の上方にも開口部１８８が設けられ、ここにはリモコン受光部１８２が装着固定される。この場合も密封材１９０を介してリモコン受光部１８２が装着される。
【００５１】
スピーカＳＰｌに対する信号線（ケーブル）とリモコン受光部用の信号線とは一束化され、一束化された信号線９６（９６Ｌ）が箱体１８０ａの側面より外部に導出され、さらに空調装置本体１４内を経由して配線接続切り替え部１４６まで導出されて結線処理される。箱体１８０ａからの導出にあっても密封材１９２を介して信号線９６Ｌが導出される。
【００５２】
このようにスピーカボックス１８０Ｌを防水・防湿型とすることで、浴室１２側にスピーカボックス１８０Ｌが露出していてもスピーカＳＰｌへの影響を回避できる。リモコン受光部１８２の受光感度や劣化などにも影響を与えることがない。
【００５３】
上述した例では、図８に示すようにフランジ部９０ａに取り付けられた取り付け板９２Ｌを介してスピーカ装置２６Ｌを構成するスピーカボックス１８０Ｌが取り付け板９２Ｌにビスなどを用いて取り付けられているが、取り付け板９２Ｌを底板１８０ｂと兼用させることもできる。つまり、底板を比較的広目の板体で構成すれば、底板を取り付け板として使用できるからである。
【００５４】
リモコン受光部１８２は左右一対のスピーカ装置２６Ｒ、２６Ｌの何れか一方に設けられる。この例では図６に示すように、左側のスピーカ装置２６Ｌにリモコン受光部１８２を搭載した例である。したがって、右側のスピーカ装置２６ＲにはスピーカＳＰｒのみが搭載されている。
【００５５】
また、図５に示すように空調装置本体１４の開口部１４ａおよび本体フランジ部９０に取り付け固定された一対のスピーカ装置２６Ｒ、２６Ｌの全体を覆うようにフロントパネル２４が取り付けられる。そのため、スピーカ装置２６Ｒ、２６Ｌ自体は浴室１２側には露出していない。
【００５６】
なお、スピーカとしては、コーン型に限らず、小型の平面型スピーカなどを使用することもできる。
【００５７】
オーディオ装置７０を遠隔制御するためのリモコン送信部２００は図９のような操作部によって構成される。この例では、オーディオ制御用操作パネル３０Ｂと同じように構成され、制御対象を明確にするため操作部本体２０２には特定の文字、図示の例では「オーディオ」を印した表示部２０４を有する。
【００５８】
表示部２０４の下側には、オーディオ電源部７８（図１１参照）を制御する電源スイッチ（オンオフスイッチ）２０５、オーディオチャンネルを選局するための選局ボタン２０６、音量を調整するための音量調整ボタン２０８がそれぞれ設けられる。選局ボタン２０６と音量調整ボタン２０８はアップ・ダウンキーが使用される。操作部本体２０２の一面はリモコン信号Ｓｒの出射部２０３となされる。
【００５９】
操作部本体２０２には、さらに入力切り替え用の表示部２１０と切り替えボタン２１２が設けられる。切り替えボタン２１２を押すごとに、この例ではテレビ−ラジオ−ＣＤ−メモリの順に入力ソースを切り替えることができる。
【００６０】
リモコン送信部２００は図１０に示すようにポケット２０１内に着脱自在に装着できる構成となされている。リモコン送信部２００はゴムパッキン等の防水部材や他の防水手段により防水、防湿処理がなされている。
【００６１】
図５に示すようにフロントパネル２４の内面であって、スピーカボックス８０Ｒ、８０Ｌに近接した位置には衝立板１０２が設けられ、浴室１２から吸気された湿度の高い空気がスピーカボックス１８０Ｒ，１８０Ｌ側に回り込まないようにしてある。
【００６２】
このように空調装置本体１４の両側に一対のスピーカ装置２６Ｒ，２６Ｌを取り付ける場合、図１にも示すように空調装置本体１４の長手方向に対して左右の向きになるような位置に一対のスピーカ装置２６Ｒ，２６Ｌが取り付け固定される。この場合スピーカ装置２６Ｒ，２６Ｌが離れているため、広がりのあるステレオ音場とすることができる。
【００６３】
図１〜図１０に示すように浴室音響システム１０を、オーディオ制御用操作パネル３０Ｂ側にオーディオ回路部７２を集約すると共に、空調装置本体１４側にスピーカ装置２６を取り付けることで浴室音響システム自体の施工性が大幅に改善される。
【００６４】
オーディオ回路部７２は、他室の壁に取り付けられているので、修理点検作業およびオーディオ回路部７２の追加作業などが簡単に行える。スピーカ装置２６は天井１３側と言っても、空調装置本体１４のフランジ部９０かフロントパネル２４に取り付けられているので、その保守点検作業およびスピーカ装置２６の追加工事などが簡単になる。したがって全体として施工性が改善される。
【００６５】
さらに、オーディオ装置７０は、浴室外のオーディオ制御用操作パネル３０Ｂからでも、浴室内のリモコン送信部２００からでも制御できるので、オーディオ装置７０に対する操作性および利便性が改善される。
【００６６】
図１１は、オーディオ装置７０に対するオーディオ制御系の一例を示す要部のブロック図である。このオーディオ制御系は、その全体の制御を司る制御部１１０を有する。制御部１１０は周知のようにＣＰＵや制御プログラムメモリ、ワーキングメモリなどから構成される。
【００６７】
制御部１１０には図２に示した各種選択ボタン５４，５６，５８などが関連されると共に、二次電池などの電源部１１２から制御部１１０用の駆動電圧が供給される。制御部１１０ではオーディオ電源部７８がオンされたことを検出することによって、オーディオ装置７０を制御するための各種の信号が生成されると共に、リモコン受光部１８２からのリモコン信号Ｓｒが供給される。
【００６８】
リモコン受光部１８２と制御部１１０とは、天井１３を介して導出された信号線９６Ｌによって連結されているが、無線によってリモコン受光部１８２と制御部１１０とを接続することも可能である。
【００６９】
また、音声出力としては、オーディオチューナ部７４で選局されたオーディオ信号の他に、蓄積媒体６６の読み取り部８０から出力された音声出力、外部入力、テレビ音声出力などの音声出力を取り扱うので、これらの音声出力が供給される音声切り替え手段１１４が設けられている。音声切り替え手段１１４は制御部１１０からの制御信号に基づいて切り替え制御される。
【００７０】
選局ボタン５６を操作したときの選局信号に基づいてオーディオチューナ部７４が制御され、選局されたチャンネルの音声出力が音声切り替え手段１１４に供給される。同様に、蓄積媒体６６を装着することによって得られる蓄積媒体の再生出力を始めとして外部入力端子８２に供給されたテレビ音声出力や、外部入力端子６４に供給されたＣＤプレーヤーなどの音声再生出力がそれぞれ音声切り替え手段１１４に供給されると共に、それぞれの音声出力が制御部１１０自体にも供給される。
【００７１】
蓄積媒体６６より再生された音声出力とテレビ音声出力をそれぞれ制御部１１０にも供給したのは、蓄積媒体６６の装着状態やテレビ音声の入力を把握するためである。
【００７２】
音声切り替え手段１１４によって選択された音声出力は後段のオーディオアンプ部７６に供給される。オーディオアンプ部７６には音量調整手段７７が内在されているので、音量調整ボタン５８の操作に応じて音量調整が行われる。
【００７３】
ここで、音声切り替え手段１１４では、読み取り部８０からの音声出力または外部入力端子６４からの音声出力が検知されたときは、オーディオチューナ部７４からの音声出力に優先してその音声出力がオーディオアンプ部７６に供給される。読み取り部８０からの音声出力とテレビ音声出力とが同時に検知され、読み取り部８０からの音声出力と、テレビ音声出力とが競合したときは、テレビ音声出力を優先するように制御プログラムが組まれている。もちろん、優先順位をこれとは逆に設定することも可能である。
【００７４】
制御部１１０では音声出力の出力経路を制御するための制御信号Ｓｓが生成され、この制御信号Ｓｓが配線接続切り替え部１４６に供給される。図１の実施の形態では、この制御信号Ｓｓは特に必要ではない。浴室１２のみにスピーカ装置２６が設置されているだけで、音声出力の出力経路を制御する必要がないからである。
【００７５】
リモコン送信部２００を利用しても同じようにオーディオ装置７０を制御して、チャンネルなどの選局、音量調整などを実行できることは容易に理解できるので、その説明は割愛する。
【００７６】
続いて、このオーディオ制御系の動作を図１２を参照して説明する。図１２では外部入力端子８２が設けられていないときの制御動作例である。音声出力の検知対象としては外部メモリの他に、外部入力端子６４，８２などがあるが、説明を簡略化するために検知対象としては外部メモリのみを示す。オーディオ制御系はオーディオ制御用操作パネル３０Ｂを使用しても、リモコン送信部２００を使用しても共に同じように制御できるので、操作パネル３０Ｂ、リモコン送信部２００を区別することなく説明する。
【００７７】
まず、オーディオ電源部７８のオンオフ状態が判別され（ステップ１２０）、オーディオ電源が投入されたときには、蓄積媒体（リムーバブルメモリ）６６の装着状態を監視する（ステップ１２１）。蓄積媒体６６の装着が検知されなかったときは、オーディオチューナ部７４からの音声出力がオーディオアンプ部７６に供給されるように音声切り替え手段１１４が制御される（ステップ１２２）。
【００７８】
これとは反対に蓄積媒体６６の装着が検知されたときは、読み取り部８０からの音声出力がオーディオアンプ部７６に供給されるように音声切り替え手段１１４が制御される（ステップ１２３）。
【００７９】
オーディオ電源が投入されると、直前に選局されたチャンネルからの音声出力がオーディオチューナ部７４から出力されているが、蓄積媒体６６が装着されたときにはオーディオチューナ部７４側からの音声出力よりも読み取り部８０側からの音声出力を優先させる。これは、蓄積媒体６６を装着したことによって、ユーザは蓄積媒体６６からの音声出力を積極的に視聴する意思があると判断できるからである。
【００８０】
続いて、オーディオ制御用操作パネル３０Ｂの操作に応じた、選局や音量調整などの制御処理が実行される（ステップ１２４）。そして、オーディオ電源部７８の電源状態が判別され（ステップ１２５）、電源のオン状態が継続しているときはステップ１２１に戻って、上述した処理が続行される。入浴中に蓄積媒体６６が外されたときは、音声出力はオーディオチューナ部７４側の音声出力に自動的に切り替わる（ステップ１２１，１２２）。
【実施例２】
【００８１】
図５では空調装置本体１４のフランジ部９０に一対のスピーカ装置２６Ｒ，２６Ｌを取り付けたが、図１３に示すようにフロントパネル２４自体にこれらスピーカ装置２６Ｒ、２６Ｌを取り付け固定することもできる。
【００８２】
この場合には、図１３および図１４にそれぞれに示すように、フロントパネル２４の内壁であって、空調装置本体１４のフランジ部９０と対峙する位置に、それぞれ板状体であって、それぞれが一対の板体で構成された衝立支持部２１０、２１２を設け、対峙する板体（２１０ａ，２１０ｂ）、（２１２ａ，２１２ｂ）で囲まれるそれぞれの内部にスピーカボックス１８０Ｒ，１８０Ｌが装着固定される。
【００８３】
図１３に示すように、対峙する板体２１０ａと２１０ｂとの間および板体２１２ａと２１２ｂとの間は空孔２２０，２２２となされ、スピーカボックス１８０Ｒ，１８０Ｌの面が浴室１２側に露出するように装着固定される。このようにスピーカボックス１８０Ｒ，１８０Ｌの面を浴室１２側に露出させたのは、音質を高めるためと、リモコン信号Ｓｒを確実に受光できるようにするためである。
【００８４】
もちろん、図１６のようにスピーカボックス１８０Ｌ（１８０Ｒ側は省略）の表面側を、フロントパネル２４によってカバーしてもよい。その場合にはスピーカＳＰｌと対峙するフロントパネル２４には複数の孔（透孔、スリットなど）２１８が穿設される。リモコン受光素子１８２は露出させたままでよい。受光感度を落とさないためである。
【００８５】
図１５は衝立指示部２１０の拡大平面図を示す。対峙する板体２１０ａ，２１０ｂの対向間隙幅はスピーカボックス１８０Ｌの横幅にほぼ等しくなされると共に、装着した状態でそれぞれの板体２１０ａ、２１０ｂとスピーカボックス１８０Ｌとの間がビス２１６によって締め付け固定される。こうすれば、空調装置本体１４の開口部１４ａを塞ぐことなく一対のスピーカ装置２６Ｒ，２６Ｌを取り付け固定できる。この場合にもスピーカ装置２６Ｒ，２６Ｌとしては防水・防湿型のスピーカボックスが使用される。
【００８６】
衝立支持部２１０、２１２は平板状ではなく、スピーカボックス１８０Ｒ、１８０Ｌに見合った短形状の枠体で構成することもできる。
【００８７】
なお、図１４、図１５において３００は吸気側開口部、３０２は送風側開口部である。
【実施例３】
【００８８】
図１７は、この発明における浴室音響システム１０の他の実施例を示す。この例は、浴室１２の壁面１２ａの適当な位置にテレビ受像機１３０が装着されている場合である。テレビ受像機１３０に近接してリモコン用の操作パネル１３２が位置する。好みの番組を見ながらゆっくり入浴する場合に好適である。
【００８９】
このような入浴環境にあるときは、音声もモノラルではなくステレオで楽しめた方が好ましい。そのため、テレビ受像機１３０の音声出力回路（図示はしない）より得られたテレビ音声出力がテレビ受像機１３０に取り付けたスピーカ装置２６Ｒ，２６Ｌに供給されるように信号線の接続が変更される。
【００９０】
このような信号線の接続変更を行うときの施工性を考慮して、オーディオ制御用操作パネル３０Ｂには、図４および図１１に示すような外部入力端子８２が予め設けられている。テレビ音声出力に係わる信号線（図示はしない）をテレビ受像機１３０から洗面脱衣所１６側まで導出すると共に、その信号線をオーディオ制御用操作パネル３０Ｂに設けられた外部入力端子８２に接続すると言う簡単な接続変更作業だけで、テレビ音声出力を一対のスピーカＳＰｒ，ＳＰｌから出力させることができる。
【００９１】
音声出力としてテレビ音声出力をも考慮したオーディオ制御例を図１８に示す。外部入力としては代表例として外部メモリのみを示す。図１２と同じ処理を行うステップについてはその処理説明を割愛する。
【００９２】
まず、オーディオ電源状態が判別され（ステップ１２０）、電源がオンしているときはテレビ音声出力の入力状態が判別される（ステップ１４０）。テレビ音声出力が存在しないときは、ステップ１２１に遷移して蓄積媒体６６の装着状態の判別処理となるから、以後は図１２の処理と同じである。
【００９３】
これに対して、テレビ音声出力の入力が確認されると（ステップ１４０）、音声切り替え手段１１４が制御されて、テレビ音声出力がオーディオアンプ部７６に供給されるようにテレビ音声出力側に切り替えられると共に、浴室１２のスピーカ装置２６に音声出力が供給されるように、制御信号Ｓｓによって配線接続切り替え部１４６が制御される（ステップ１４１）。
【００９４】
つまり、オーディオチューナ部７４からの音声出力があってもこの音声出力に優先して、テレビ音声出力が選択される。そして、スピーカも浴室１２側のスピーカ装置２６に切り替えられる。また、テレビ音声出力側に切り換えられた後はテレビ受像機１３０に関連する操作パネル１３２の操作状態が反映される。つまり、テレビ音声出力を優先して出力したときは、ステップ１２４に遷移することなく処理される。
【００９５】
なお、図１７に示す実施例の場合には、浴室１２のみにスピーカ装置２６Ｒ，２６Ｌが設置されているから、音声出力の出力経路はスピーカ装置２６Ｒ，２６Ｌ側に切り替わるような制御信号Ｓｓが配線接続切り替え部１４６に供給される。ただし、その処理の説明については図１８では割愛されている。
図１７の場合には、リモコン送信部２００を操作パネル１３２で兼用することもできる。ただしこの場合は操作パネル１３２内にリモコン送信用の発光素子を設置する必要がある。
【００９６】
この実施例の場合でも、オーディオ制御用操作パネル３０Ｂ側にオーディオ回路部７２を集約すると共に、空調装置本体１４側にスピーカ装置２６を取り付けることで浴室音響システム自体の施工性が大幅に改善される。スピーカ装置２６内にリモコン受光部１８２を取り付けることで、オーディオ装置７０に対する操作性および利便性が改善される。
【実施例４】
【００９７】
図１９にこの発明の他の実施例を説明する。図４に示す実施例ではパネル背面側にオーディオ回路部７２を集約した例であるが、オーディオ回路部７２はパネル背面側の他に、浴室１２の天井１３などに設置することもできる。この場合、浴室天井面に設けた開閉可能な点検口Ｔよりオーディオ回路部のメンテナンスが行えるようになっている。
【００９８】
図１９に示す例は、浴室１２の天井１３に設置された配線接続切り換え部１４６を含めてオーディオ回路部７２を構成した例であって、ボックス２３０内にオーディオ回路部７２を集約するためのプリント配線板（図示はしない）が設けられ、このプリント基板にオーディオ回路部７２がマウントされると共に、配線接続切り替え部１４６もマウントされて一体化される。そして、このオーディオ回路部７２にはオーディオ制御用操作パネル３０Ｂからの操作信号９６Ｘが供給される。配線接続切り替え部１４６とスピーカ装置２６Ｒ，２６Ｌとの間がケーブル線９６Ｒ１，９６Ｌ１によって接続される。
【００９９】
このように天井１３にオーディオ回路部７２を配置すると、オーディオ操作パネル３０Ｂ自体の小型化を達成できる。
【産業上の利用可能性】
【０１００】
この発明は、個別住宅や集合住宅を問わず、浴室内に空調装置が設置されているか、これから設置する場合を問わず、オーディオ装置を備えた浴室音響システムに適用できる。
【図面の簡単な説明】
【０１０１】
【図１】この発明に係る浴室音響システムの第１の実施の形態を示す要部の断面図である。
【図２】第１の実施の形態における本体制御用操作パネルとオーディオ制御用操作パネルの構成例を示す配置図である。
【図３】第１の実施の形態における本体制御用操作パネルとオーディオ制御用操作パネルを一体化したときの構成例を示す配置図である。
【図４】オーディオ制御用操作パネルに設けられるオーディオ装置の一例を示す概念図である。
【図５】空調装置本体と設置されたスピーカ装置との関係を示す要部断面図である。
【図６】空調装置本体の開口部側から見た要部平面図である。
【図７】スピーカ装置の要部断面図である。
【図８】スピーカ装置の取り付け状態を示す要部側面図である。
【図９】オーディオリモコン装置の一例を示す構成図である。
【図１０】オーディオリモコン装置の取り付け状態を示す要部断面図である。
【図１１】第１の実施の形態における浴室音響システムの制御系の一例を示す要部の系統図である。
【図１２】第１の実施の形態における浴室音響システムの制御処理例を示すフローチャートである。
【図１３】スピーカ装置を装着したフロントパネルの要部断面図である。
【図１４】スピーカ装置を装着したフロントパネルの内部を示す要部平面図である。
【図１５】その一部拡大平面図である。
【図１６】フロントパネルを含めた状態での一方のスピーカ装置の縦断面図である。
【図１７】この発明に係る浴室音響システムを適用できる他の配置例を示す要部の断面図である。
【図１８】図１７における浴室音響システムの制御処理例を示すフローチャートである。
【図１９】この発明に係る浴室音響システムを適用できる他の配置例を示す要部の断面図である。
【符号の説明】
【０１０２】
１０・・・浴室音響システム、１２・・・浴室、１３，１７，１６６・・・天井、１４・・・空調装置本体、１６・・・洗面脱衣所、２６・・・スピーカ装置、３０・・・操作パネル、３０Ａ・・・本体制御用操作パネル、３０Ｂ・・・オーディオ制御用操作パネル、６０・・・スロット、６６・・・蓄積媒体、７０・・・オーディオ装置、７４・・・オーディオチューナ部、７６・・・オーディオアンプ部、７８・・・オーディオ電源部、１４４，１６８・・・スピーカ、１４６・・・配線接続切り替え部、１８０・・・スピーカボックス、１８２・・・リモコン受光部
【図１】
2008182603.tif 000003
【図２】
2008182603.tif 000004
【図３】
2008182603.tif 000005
【図４】
2008182603.tif 000006
【図５】
2008182603.tif 000007
【図６】
2008182603.tif 000008
【図７】
2008182603.tif 000009
【図８】
2008182603.tif 000010
【図９】
2008182603.tif 000011
【図１０】
2008182603.tif 000012
【図１１】
2008182603.tif 000013
【図１２】
2008182603.tif 000014
【図１３】
2008182603.tif 000015
【図１４】
2008182603.tif 000016
【図１５】
2008182603.tif 000017
【図１６】
2008182603.tif 000018
【図１７】
2008182603.tif 000019
【図１８】
2008182603.tif 000020
【図１９】
2008182603.tif 000021